(57)【要約】  【課題】本発明は、上記の問題を鑑みてなされたものであり、内部構造がより合理的なコンテナー式データセンターを提供することを目的とする。【解決手段】以上の問題を解決するために、本発明に係るコンテナー式データセンターは、筐体を備え、前記筐体の内部において、前記筐体の両端に近接して、１つのサーバ用キャビネットアセンブリがそれぞれ設けられ、前記筐体の内部における２つの前記サーバ用キャビネットアセンブリの間には、１つの給電装置が設けられている。【選択図】図１
2017076367.tif 000002
【特許請求の範囲】
【請求項１】
筐体を備えるコンテナー式データセンターであって、
前記筐体の内部において、前記筐体の両端に近接して、１つのサーバ用キャビネットアセンブリがそれぞれ設けられ、前記筐体の内部における２つの前記サーバ用キャビネットアセンブリの間には、１つの給電装置が設けられていることを特徴とするコンテナー式データセンター。
【請求項２】
前記給電装置及び２つの前記サーバ用キャビネットアセンブリは、一列に整列することを特徴とする請求項１に記載のコンテナー式データセンター。
【請求項３】
前記筐体は、互いに平行な第一側壁及び第二側壁を含み、前記給電装置及び前記サーバ用キャビネットアセンブリは、それぞれ前記第一側壁及び前記第二側壁と平行することを特徴とする請求項２に記載のコンテナー式データセンター。
【請求項４】
前記コンテナー式データセンターは、前記第二側壁の外側に設けられ、且つ前記筐体の内部と連通する複数のエアコンをさらに含むことを特徴とする請求項３に記載のコンテナー式データセンター。
【請求項５】
前記エアコンは、３つあり、３つの前記エアコンは、それぞれ２つの前記サーバ用キャビネットアセンブリ及び前記給電装置に向かい合うことを特徴とする請求項４に記載のコンテナー式データセンター。
【請求項６】
前記第一側壁には、水平方向に沿って互いに間隔をあけて設けられ、且つ開閉できる通風窓が設けられることを特徴とする請求項４に記載のコンテナー式データセンター。
【請求項７】
前記給電装置及び前記サーバ用キャビネットアセンブリは、それぞれ前記第一側壁と間隔をあけて設けられることを特徴とする請求項６に記載のコンテナー式データセンター。
【請求項８】
前記給電装置及び前記サーバ用キャビネットアセンブリは、それぞれ前記第二側壁と間隔をあけて設けられ、前記給電装置及び前記サーバ用キャビネットアセンブリの頂部と前記第二側壁との間には、仕切り板が設けられることを特徴とする請求項７に記載のコンテナー式データセンター。
【請求項９】
各サーバ用キャビネットアセンブリは、複数のサーバ用キャビネットを含み、各サーバ用キャビネットと前記給電装置は、電源線を介して互いに接続されることを特徴とする請求項１に記載のコンテナー式データセンター。
【請求項１０】
前記給電装置は、バッテリキャビネット、無停電電源装置及び配電箱を備え、前記電源線は、前記配電箱と前記サーバ用キャビネットとの間に設けられることを特徴とする請求項９に記載のコンテナー式データセンター。
【発明の詳細な説明】
【技術分野】
【０００１】
本発明は、コンテナー式データセンターに関するものである。
【背景技術】
【０００２】
現在のコンテナー式データセンターにおいて、サーバが装着されたキャビネットは通常データセンターの一端に集中的に設けられ、給電装置は通常データセンターの他端に集中的に設けられている。サーバの放熱量が給電装置の放熱量より大きいので、データセンター内の熱の配分が不均一であるため、データセンターのために熱を放散する複数のエアコンの負荷は不均一であり、エアコンは効果的に利用されず且つ十分に熱を放散することができない。また、自然に吸気することで、低温高湿の問題を解決する時に、給電装置エリアの放熱量が低いので、効果的に温度を向上させ、湿度を除去することができない。
【発明の概要】
【課題を解決するための手段】
【０００３】
本発明は、上記の問題に鑑みてなされたものであり、内部構造がより合理的なコンテナー式データセンターを提供することを目的とする。
【０００４】
以上の問題を解決するために、本発明に係るコンテナー式データセンターは、筐体を備え、前記筐体の内部において、前記筐体の両端に近接して、１つのサーバ用キャビネットアセンブリがそれぞれ設けられ、前記筐体の内部における２つの前記サーバ用キャビネットアセンブリの間には、１つの給電装置が設けられている。
【０００５】
本発明に係るコンテナー式データセンターのサーバのキャビネットは、両端に配置され、給電装置は中央部に位置している。これにより、コンテナー式データセンターの内部の熱量の配分は、さらに均一になり、放熱及び湿気を取り除くことを促進することができる。
【図面の簡単な説明】
【０００６】
【図１】図１は、本発明の実施形態に係るコンテナー式データセンターの斜視図である。
【図２】図２は、本発明の実施形態に係るコンテナー式データセンターの俯瞰図である。
【図３】図３は、本発明の実施形態に係るコンテナー式データセンターの作動状態下の斜視図である。
【発明を実施するための形態】
【０００７】
図１及び図２に示すように、本発明の実施形態に係るコンテナー式データセンター１０は、１つの筐体２０、２つのサーバ用キャビネットアセンブリ３０、１つの給電装置４０及び複数のエアコン５０を含む。
【０００８】
筐体２０は、第一側壁２１、第一側壁２１と平行する第二側壁２２及び第一側壁２１と第二側壁２２とを連接し、且つ互いに対向する２つの端壁２３を備える。図１に示すように、第一側壁２１の中央部には、水平方向に沿って一列の通風窓２５が互いに間隔をあけて設けられる。通風窓２５は、開閉できる。
【０００９】
図２は、本発明の実施形態に係るコンテナー式データセンターの俯瞰図である。コンテナー式データセンター１０の構造を明らかに説明するために、図２には仕切り板７０を省略する。２つのサーバ用キャビネットアセンブリ３０は、筐体２０内に設けられ且つそれぞれ２つの端壁２３に近づくか又は２つの端壁２３と接触するように設けられる。各サーバ用キャビネットアセンブリ３０は、複数の互いに緊密に接触している又は間隔をあけて並べられている複数のサーバ用キャビネット３１を含む。
【００１０】
給電装置４０は、筐体２０内に設けられ且つ２つのサーバ用キャビネットアセンブリ３０の間に位置する。給電装置４０は、１つのバッテリキャビネット４１と、１つの無停電電源装置（uninterruptible power system、ＵＰＳ）４２と、１つの配電箱４３と、を備える。バッテリキャビネット４１、ＵＰＳ４２及び配電箱４３は、互いに密着し又は間隔をあけて設けられる。また、バッテリキャビネット４１、ＵＰＳ４２、配電箱４３及び給電装置４０に近接する２つのサーバ用キャビネット３１は、互いに密着し又は間隔をあけて設けられる。給電装置４０は、２つのサーバ用キャビネットアセンブリ３０と一列に整列する。給電装置４０及びサーバ用キャビネットアセンブリ３０は、第一側壁２１及び第二側壁２２とそれぞれ平行して間隔をあけて設けられる。各サーバ用キャビネット３１は、電源線６０を介して配電箱４３と電気的に接続されている。
【００１１】
エアコン５０は、第二側壁２２の外側に設けられて、筐体２０の内部と連通する。エアコン５０は、筐体２０の内部を冷却し且つ湿気を取り除くことに用いられる。本実施形態において、エアコン５０は、３つあり、それぞれ２つのサーバ用キャビネットアセンブリ３０及び給電装置４０に向かい合う。図１及び図３に示すように、給電装置４０及びサーバ用キャビネットアセンブリ３０の頂部と第二側壁２２との間には、仕切り板７０（が設けられている。仕切り板７０は、冷空気と熱空気とを隔離する役割を果たす。
【００１２】
コンテナー式データセンター１０が作動する時に、外部温度がより高い場合、通風窓２５を閉じて、エアコン５０は冷空気を作り出し始め、冷空気を下部から筐体２０内に吹き入れる。冷空気は、２つのサーバ用キャビネットアセンブリ３０及び給電装置４０と熱交換を行う。その後、熱空気は、給電装置４０及びサーバ用キャビネットアセンブリ３０と第一側壁２１との間の通路を経って上昇し、且つ第二側壁２２の仕切り板７０の上方の部分を介してエアコン５０内に入る。放熱量がより大きい２つのサーバ用キャビネットアセンブリ３０は、筐体２０の内部の両端に設けられたので、中央部に位置するエアコン５０の負荷はより小さい。中央部に位置するエアコン５０は、給電装置４０のために熱を放散すると共に、両側のサーバ用キャビネットアセンブリ３０のために熱を放散することもできる。
【００１３】
図３に示すように、外部温度がより低く、湿度がより大きい場合、通風窓２５を開け、エアコン５０は湿気を取り除き始め、外部からエアコン５０内に入った冷空気が仕切り板７０の上部からエアコン５０内の熱空気と混合すると、温度が高まり、エアコン５０によって湿気を除去して、より冷たい空気を得、このより冷たい空気を筐体２０内に導入する。前記冷たい空気と２つのサーバ用キャビネットアセンブリ３０及び給電装置４０との間に熱交換を行う。その後、熱空気の一部は、開かれた通風窓２５を介して筐体２０の外へ排出される。熱空気の他の一部は、給電装置４０及びサーバ用キャビネットアセンブリ３０と第一側壁２１との間の通路を経って上昇し、且つ第二側壁２２の仕切り板７０の上方に位置する部分からエアコン５０内に入る。放熱量がより小さい給電装置４０が筐体２０の内部の中間に設けられるので、給電装置４０の両端に位置するサーバ用キャビネットアセンブリ３０は、中央部に位置するエアコン５０に熱空気を提供して、温度を高めて、湿気を除去する。
【００１４】
本発明のコンテナー式データセンター１０の内部構造がより合理的であり、熱量の配分を均一にし、熱量及び湿度を管理することを容易にする。また、給電装置４０が筐体２０の内部の中間に位置するので、両端のサーバ用キャビネット３１と給電装置４０とを接続する電源線６０の長さは、従来技術の電源線の長さより短い。これにより、電量消耗を低減させ、電源線の密集によって、熱風の回流が阻まれることを避けることができる。
【符号の説明】
【００１５】
１０  コンテナー式データセンター
２０  筐体
２１  第一側壁
２２  第二側壁
２３  端壁
２５  通風窓
３０  サーバ用キャビネットアセンブリ
３１  サーバ用キャビネット
４０  給電装置
４１  バッテリキャビネット
４２  無停電電源装置
４３  配電箱
５０  エアコン
６０  接続電源線
７０  仕切り板
【図１】
2017076367.tif 000003
【図２】
2017076367.tif 000004
【図３】
2017076367.tif 000005